(57)【要約】【目的】  一つの装飾具で、ネクタイとして使用でき、また、衿元のポイントとして、スカーフやアスコットタイとしても使用できるものである。【構成】  略帯状の生地の高さ方向の両端部の一方に穴カガリを設け、他方にボタンを設置することにより、該両端部の穴カガリにボタンを係留するときは、ネクタイとして用い、該両端部の穴カガリからボタンを外し、ネクタイ用に折り曲げられた略帯状の生地を平らに伸ばすことによって、スカーフやアスコットタイとして用いるものである。【選択図】図１
0003130369.tif 000002
【実用新案登録請求の範囲】
【請求項１】
略帯状の生地を応用した装飾具であって、高さ方向の両端部にそれぞれボタンと穴カガリ等を設置し、高さ方向の生地を折り曲げ、ボタンと穴カガリを係留させることによって、高さ方向の幅を変化させ、複数の用途に使用できる図１記載の装飾具。
【請求項２】
略帯状の生地が布帛（織物）またはニット（編物）でできていることを特徴とする請求項１記載の装飾具。
【考案の詳細な説明】
【技術分野】
【０００１】  本考案は、ネクタイに関するものであり、例えば首に巻きつけるなどの方法によって、衣装を彩るスカーフに用いるものであり、また、アスコットタイとして用いることができるもので、ファッションの多様化に対応できる装飾具を提供するものである。
【背景技術】
【０００２】  従来における衿元に関するおしゃれは、ネクタイ、スカーフ、アスコットタイ等の装飾具が用いられている。そして、それらは、使用される領域が生活シーン毎異なり、それぞれ独自に発展してきており、その機能を兼用するものは存在していない。
【考案の開示】
【考案が解決しようとする課題】
【０００３】  しかし昨今、クールビズの台頭などの影響でビジネスマンのノーネクタイ化がすすみ、勤務中はネクタイを着用し、勤務終了後はネクタイを外すという態様が徐々に増えてきた。そして、ネクタイに代わって、衿元のおしゃれを楽しむために、スカーフやアスコットタイなどが用いられるようになってきた。しかし、ネクタイを外して、スカーフやアスコットタイを用いるにしても、常にそれぞれを用意しておかねばならず、煩わしさという問題を生じる。【０００４】  そこで、本考案は、１つで図３のネクタイとして用いたり、また、首に巻きつけるなどの方法によって、衣装を彩るスカーフに用いたり、衿元のアクセントとしての図５のアスコットタイとして用いることができる多用途装飾具を提供しようとするものである。
【課題を解決するための手段】
【０００５】  上記目的を達成するために、図１の略帯状の生地の、高さ方向の両端部の一方にボタン１ｂを付け、他方に穴カガリ１ａを設置し、図２のように、略帯状の生地を高さ方向に向かって折り曲げることにより、高さ方向の両端部を重ね合わせ、ボタンを穴カガリに図４のように係留し、図３の筒状にすることによって、ネクタイとして用いることができるようにしたものである。【０００６】  また、ネクタイやスカーフはその時々の流行により、その高さ方向の幅の大小が変わる傾向にあるが、図１の略帯状の生地と高さ方向のボタン１ｂと穴カガリ１ａより構成されている当考案においては、その時々のファショントレンドに合わせた生地幅を裁断し、また、略帯状の生地の高さ方向の端に取り付けたボタン１ｂの位置を変えることによって、ネクタイの幅も時流にあったものにすることができる。【０００７】  さらに、ネクタイやスカーフとして使用するためには、ファション性がひとつのポイントになるがファション表現のひとつに、シャツとネクタイなどの装飾品が同素材で組み合わせるコーディネートがあり、本考案でも、ネクタイやスカーフの素材を衣料品の上物で用いられている生地等を用いることにより、コーデネートをし易くし、ファション性を確保する。
もちろん、当考案は上記の素材以外でのファション性を高める素材の利用を否定するものではない。
【考案を実施するための最良の形態】
【０００８】  以上の如く本考案の装飾具によれば、まず、図１の略帯状の生地を、図２のように高さ方向に折り曲げ、高さ方向の両端に設置しているボタンと穴カガリを図４のように係留することにより、図３のネクタイとして用いることができ、勤務時間等の終了後は、ネクタイを外し、略帯状の生地を高さ方向の両端に設置しているボタンを穴カガリから外し、ネクタイ用に折り曲げられた略帯状の生地を平らに伸ばした形状で、衿に巻いたり、首に単に掛けて衣装を彩るスカーフとして用いたりすることや、衿元のアクセントとしての図５の如くアスコットタイとして用いることができる。【０００９】  また、使用方法について、上記の方法に限定する必要はなく、本考案に基づいて作成した装飾具をラフな生活シーンではスカーフやアスコットタイとして用い、不意に遭遇したオフィシャルシーンではネクタイとして使用することも含む。【００１０】  そして、本考案の使用素材を、主に綿１００％や綿／ポリエステル混紡素材を使用すれば、使用中に汚れ等が付着した場合、通常シルク１００％のネクタイはドライクリーニング等を利用しなければならないが、該装飾具は家庭洗濯で十分対応でき、洗濯後のアイロン掛けも型くずれの心配なしに利用することができるので、汚れ等の付着に対する洗濯に関しての簡便性が高い。
【実施例】
【００１１】  以下、本考案の好適実施例について添付図面に基づいて詳細に説明する。【００１２】  図１〜４図は、本考案の実施の形態の一例を示すもので、図中、同一の符号を付した部分は同一物を表している。【００１３】  図１は、本考案の装飾具の全体平面図である。図示されているように、略帯状の生地の高さ方向の両端に、穴カガリ１ａとボタン１ｂを設置している。【００１４】  図２は、略帯状の生地を、高さ方向に折り曲げる状態を示している。【００１５】  図３は、図２で折り曲げた略帯状の生地の穴カガリ１ａとボタン１ｂを係留し、生地を筒状にし、ネクタイとして用いることができるようにしている。【００１６】  図４は、図２で折り曲げた略帯状の生地の穴カガリ１ａにボタン１ｂを係留したときの断面図である。【００１７】  図５は、勤務時間終了後、折り曲げた略帯状の生地の穴カガリ１ａからボタン１ｂを外し、生地を平らに伸ばし、アスコットタイとして用いたときの、着用図である。
【考案の効果】
【００１８】  本考案は、上述のとおり構成されているので、次に記載する効果を奏する。
請求項１の装飾具によれば、１つのもので、ネクタイとして使用でき、また、衿元のアクセントとして、スカーフやアスコットタイとしても使用できる。
【図面の簡単な説明】
【図１】本考案に係る略帯状の生地の装飾具を示す図
【図２】本考案に係るネクタイにするために、略帯状の生地を高さ方向に折り返すときの状態を示す図
【図３】本考案に係るネクタイとして使用するため、略帯状の生地の両端部の穴カガリに、ボタンを係留した図
【図４】本考案に係るネクタイとして使用するため、略帯状の生地の両端部の穴カガリに、ボタンを係留したときの断面図
【図５】本考案に係る略帯状の生地を、アスコットタイとして用いた場合の着用図
【符号の説明】
１    略帯状の生地
１ａ  穴カガリ
１ｂ  ボタン
【図１】
0003130369.tif 000003
【図２】
0003130369.tif 000004
【図３】
0003130369.tif 000005
【図４】
0003130369.tif 000006
【図５】
0003130369.tif 000007
【手続補正書】
【提出日】平成18年10月23日(2006.10.23)
【手続補正１】
【補正対象書類名】実用新案登録請求の範囲
【補正対象項目名】請求項１
【補正方法】変更
【補正の内容】
【請求項１】
略帯状の生地を応用した装飾具であって、高さ方向の両端部にそれぞれボタンと穴カガリ等を設置し、高さ方向の生地を折り曲げ、ボタンと穴カガリを係留させることによって、高さ方向の幅を変化させ、複数の用途に使用できる装飾具。
【手続補正書】
【提出日】平成18年12月22日(2006.12.22)
【手続補正１】
【補正対象書類名】実用新案登録請求の範囲
【補正対象項目名】全文
【補正方法】変更
【補正の内容】
【実用新案登録請求の範囲】
【請求項１】
略帯状の生地を応用した装飾具であって、高さ方向の両端部にそれぞれボタンと穴カガリを設置し、高さ方向の生地を折り曲げ、ボタンと穴カガリを係留させることによって、高さ方向の幅を変化させ、複数の用途に使用できる装飾具。
【請求項２】
略帯状の生地が布帛またはニットでできていることを特徴とする請求項１記載の装飾具。